(57)【要約】【課題】カメラを壁面に取り付ける場合は、壁面とカメラ筐体が接触しない程度にある程度の距離を保持し、カメラを天井に取り付ける場合は、カメラ筐体を天井に近付けることが可能なカメラ取付具及び機器取付具を提供する。【解決手段】カメラ２００を壁面に取り付ける場合は、連結部材１０２をアーム部材１１３の長手方向に沿って接続し、カメラ２００を天井に取り付ける場合は、連結部材１０２をアーム部材１１３の長手方向に垂直となる方向に接続する。【選択図】図１
2010271357.tif 000002
【特許請求の範囲】
【請求項１】
カメラの筐体を支持する台座と、この台座を回動自在且つ連結自在に支持する長手状の連結部材と、この連結部材を連結自在に支持し且つ設置面に取り付けられる基台とを有したカメラ取付具において、
前記基台は、前記設置面から突き出す方向に伸びた長手状のアーム部材を有し、
前記台座は、前記カメラの筐体を支持しつつ、当該カメラの撮影方向及び当該カメラの支持方向それぞれと直交する第１の方向を軸にして回動自在な台座軸受部を有し、
前記連結部材は、
その長手方向の一端側に、前記台座軸受部と回動自在且つ連結自在に接続し、且つ長手方向と前記第１の方向それぞれと互いに直交する第２の方向を軸にして前記台座が回動自在な回動部と、
その長手方向の他端側に、その長手方向及び前記第２の方向それぞれと直交する第３の方向を軸にして前記アーム部材と連結自在な連結軸受部とを有する、
ことを特徴とするカメラ取付具。
【請求項２】
前記アーム部材は、その長手方向の所定範囲における任意の位置に前記連結軸受部を接続可能とする基台軸支部を有することを特徴とする請求項１記載のカメラ取付具。
【請求項３】
前記連結部材及び前記アーム部材の連結において、前記設置面に対して垂直な方向とこれに直交する方向の２方向の接続状態については、両部材が互いに規制し合ってその連結状態を維持するように、前記回動部及び前記連結軸受部が当該連結部材に配されていることを特徴とする請求項２又は請求項３記載のカメラ取付具。
【請求項４】
機器の筐体を支持する台座と、この台座を回動自在且つ連結自在に支持する長手状の連結部材と、この連結部材を連結自在に支持し且つ設置面に取り付けられる基台とを有した機器取付具において、
前記基台は、前記設置面から突き出す方向に伸びた長手状のアーム部材を有し、
前記台座は、前記機器の筐体を支持しつつ、当該機器の支持方向と直交する第１の方向を軸にして回動自在な台座軸受部を有し、
前記連結部材は、
その長手方向の一端側に、前記台座軸受部と回動自在且つ連結自在に接続し、且つ長手方向と前記第１の方向それぞれと互いに直交する第２の方向を軸にして前記台座が回動自在な回動部と、
その長手方向の他端側に、その長手方向及び前記第２の方向それぞれと直交する第３の方向を軸にして前記アーム部材と連結自在な連結軸受部とを有する、
ことを特徴とする機器取付具。
【発明の詳細な説明】
【技術分野】
【０００１】
本発明は、監視カメラ、スピーカ等の機器を、建屋等の壁面及び天井のどちらにも取り付けることが可能な機器取付具に関する。
【背景技術】
【０００２】
壁面と天井の両方に適用できるカメラ取付具として、例えば、下記の特許文献１に開示されているカメラ取付具がある。このカメラ取付具は、カメラ取付台とカメラ支持部とをカメラ設置面に垂直な方向に傾斜した結合方向で結合し、その結合方向と交差する結合基準面上でカメラ取付台とカメラ支持部との角度を変更できることを特徴としている。
この構成により、取付先が壁面と天井のどちらであっても、同様のカメラ姿勢（正確には、水平に対して１８０度反転させた状態の姿勢）で確実な取り付けが実現できる。
【先行技術文献】
【特許文献】
【０００３】
【特許文献１】特開２００５−３２３０４０号公報
【発明の概要】
【発明が解決しようとする課題】
【０００４】
ところで、監視カメラの取り付けにおいては、できるだけ壁面や天井に近付けた形態で取り付けたいというユーザの要望がある。ユーザとは、例えば、監視カメラを取り付ける施設の管理者である。
これは、壁面や天井から監視カメラが出っ張っていると外観を損なうという理由のほかに、出っ張っている分だけ他の何かと接触して破損する可能性が高まるという理由がある。
特に立体駐車場の場合、各階の車の通路天井に監視カメラを設置することがよく行われているが、このような立体駐車場に、車高が高い車、天井にボートや自転車等を積載した車、或いはアンテナを長く伸ばした車等が進入してくると、監視カメラと接触する可能性がある。
【０００５】
図１０は、上記特許文献１に開示されているカメラ取付具の模式図であり、（Ａ）は壁面に取り付けた場合の形態、（Ｂ）は天井に取り付けた場合の形態を示す図である。
カメラ取付具１０００は、点線で示した結合基準面Ｙで、結合方向Ｘに分離可能となっており、カメラ筐体２０００と接続される側の部位を180度反転させることで、（Ａ）の形態と（Ｂ）の形態をとることができる。
【０００６】
カメラ筐体２０００は、その後部がカメラ取付具１０００との取り付け位置より後ろ側に出っ張っているので、（Ａ）のように壁面に取り付ける場合を考慮して、カメラ筐体２０００が壁面と接触しないように、カメラ取付具１０００のアーム部分に所定の長さを持たせる必要がある。
【０００７】
そうすると、図１０（Ｂ）に示すように、天井に取り付ける形態にした場合、壁面に取り付けることを考慮したアーム部分の長さだけ、天井から垂れ下がる形態になり、外観を損なう上、車高の高い車等に接触して破損する可能性がある。
【０００８】
また、同様の課題は、建屋の天井或いは壁に取り付けることがあるスピーカの取付においても生じる。
そこで本発明は、壁面に取り付ける場合は、壁面とカメラ筐体が接触しない程度にある程度の距離を保持しつつ、天井に取り付ける場合は、天井に近づけることが可能なカメラ取付具及び同様の課題を有する機器の取付具を提供することを目的とする。
【課題を解決するための手段】
【０００９】
上記の課題を解決するために、本発明は、カメラの筐体を支持する台座と、この台座を回動自在且つ連結自在に支持する長手状の連結部材と、この連結部材を連結自在に支持し且つ設置面に取り付けられる基台とを有したカメラ取付具であり、前記基台は、前記設置面から突き出す方向に伸びた長手状のアーム部材を有し、前記台座は、前記カメラの筐体を支持しつつ、当該カメラの撮影方向及び当該カメラの支持方向それぞれと直交する第１の方向を軸にして回動自在な台座軸受部を有し、前記連結部材は、その長手方向の一端側に、前記台座軸受部と回動自在且つ連結自在に接続し、且つ長手方向と前記第１の方向それぞれと互いに直交する第２の方向を軸にして前記台座が回動自在な回動部と、その長手方向の他端側に、その長手方向及び前記第２の方向それぞれと直交する第３の方向を軸にして前記アーム部材と連結自在な連結軸受部とを有することを特徴とする。
【００１０】
この構成によれば、設置面に対して垂直な方向となるように連結部材をアーム部材に接続した場合、つまり、カメラを壁面に取り付ける形態にした場合は、カメラ筐体の後部が出っ張った形状のものであっても、アーム部材に連結部材の長手方向分の所定の長さが加わるので、カメラ筐体に合わせてアーム部材と連結部材の長さが設定されていれば、壁面とカメラ筐体が接触しない程度にある程度の距離を保持することができる。
【００１１】
一方、設置面に対して垂直な方向に直交する方向となるように連結部材をアーム部材に接続した場合、つまり、カメラを水平な天井に取り付ける形態にした場合は、カメラ筐体の後部の出っ張りと接触する壁がないので、出っ張りの問題はなくなる。そして、その出っ張りに対応するアーム部材と連結部材の余計な長さ分は、連結部材がアーム部材に対して垂直方向に接続されることでカットされ、その分、カメラ筐体を天井面に近付けることができる。
【００１２】
更に、上記第１の方向を軸とする台座軸受部、第２の方向を軸にして前記台座が回動自在な回動部、第３の方向を軸にして前記アーム部材と連結自在な連結軸受部を有することで、それぞれの軸での接続を微調整すれば、例えば、傾斜した屋根に取り付ける場合でも、カメラの撮影画像が傾斜することなく地面に対して水平にすることができる。
【００１３】
また、前記アーム部材は、その長手方向の任意の位置に前記連結軸受部を接続可能とする基台軸支部を有してもよい。
この構成によれば、設置面に垂直な方向と直交する方向となるように連結部材をアーム部材に接続した場合、つまり、水平な天井に取り付ける形態にした場合に、更に、連結部材を天井側に寄せることができるので、その分、カメラの筐体を天井面に近付けることができる。
【００１４】
また、前記連結部材及び前記アーム部材の接続状態のうち、前記設置面に対して垂直な方向とこれに直交する方向の２方向の接続状態については、両部材が互いに規制し合ってその接続状態を維持するように、前記回動部及び前記連結軸受部が当該連結部材に配されていてもよい。
【００１５】
この構成によれば、例えば、連結部材とアーム部材とをボルトねじで螺合して接続する場合、その締め具合が緩んだとしても、両部材が互いに規制し合うことで、当該カメラを支持している連結部材が垂れ下がるような状態（つまり、首が垂れ下がったような状態）になることを防ぐことができる。
【００１６】
また、前記連結部材及び前記基台はそれぞれ内部に空隙を有し、前記カメラに接続されている配線を連通して収納可能としてもよい。
この構成により、配線が外側に垂れないので外観上良い上、いたずら等で配線が切断されるのを抑制できる。
【００１７】
本発明に係る機器取付具は、機器の筐体を支持する台座と、この台座を回動自在且つ連結自在に支持する長手状の連結部材と、この連結部材を連結自在に支持し且つ設置面に取り付けられる基台とを有した機器取付具であり、前記基台は、前記設置面から突き出す方向に伸びた長手状のアーム部材を有し、前記台座は、前記機器の筐体を支持しつつ、当該機器の支持方向と直交する第１の方向を軸にして回動自在な台座軸受部を有し、前記連結部材は、その長手方向の一端側に、前記台座軸受部と回動自在且つ連結自在に接続し、且つ長手方向と前記第１の方向それぞれと互いに直交する第２の方向を軸にして前記台座が回動自在な回動部と、その長手方向の他端側に、その長手方向及び前記第２の方向それぞれと直交する第３の方向を軸にして前記アーム部材と連結自在な連結軸受部とを有することを特徴とする。
【発明の効果】
【００１８】
本発明に係るカメラ取付具を用いれば、上述したように、カメラを壁面に取り付ける場合は、壁面とカメラ筐体が接触しない程度にある程度の距離を保持することができ、カメラを天井に取り付ける場合は、カメラをより天井に近づけることができるので、建屋内の外観を損なうことなく、且つ他の物と接触してカメラが破損する可能性を低減することができる。
【００１９】
本発明に係る機器取付具を用いれば、スピーカ、照明器具等の機器を天井及び壁面のいずれにも取り付けることが可能であり、３つの軸で機器の向きを微調整することが可能である。また、機器を天井に取り付ける場合は、より天井に近づけて取り付けることが可能である、。
【図面の簡単な説明】
【００２０】
【図１】実施例１に係るカメラ取付具１００の壁面取付状態を示す側面図。
【図２】実施例１に係るカメラ取付具１００の壁面取付状態を示す立体斜視図。
【図３】実施例１に係るカメラ取付具１００の壁面取付状態を示す立体斜視図。
【図４】実施例１に係るカメラ取付具１００の天井取付状態を示す側面図。
【図５】実施例１に係るカメラ取付具１００の天井取付状態を示す立体斜視図。
【図６】実施例１に係るカメラ取付具１００の天井取付状態を示す立体斜視図。
【図７】実施例２に係るカメラ取付具１００Ａの壁面取付状態を示す横面図。
【図８】実施例２に係るカメラ取付具１００Ａの天井取付状態を示す横面図。
【図９】カメラ取付具１００を屋根等傾斜した箇所に取り付けた状態を示す立体斜視図。
【図１０】特許文献１に開示されているカメラ取付具１０００の取付状態を示す模式図。
【発明を実施するための形態】
【００２１】
以下に、本発明に係るカメラ取付具の一実施形態である実施例１及び実施例２について図面を用いて説明する。
【実施例１】
【００２２】
図１は、カメラ取付具１００を用いてカメラ２００を壁面に取り付けた状態を表す側面図であり、図２及び図３はそれぞれ異なるアングルの立体斜視図である。
【００２３】
図４は、カメラ取付具１００を用いてカメラ２００を天井に取り付けた状態を表す側面図であり、図５及び図６はそれぞれ異なるアングルの立体斜視図である。
【００２４】
カメラ２００は、監視用カメラである。その筐体は、前部２０１、中央部２０２、後部２０３の３つで構成されている。
前部２０１には、カメラのレンズ等が納められ、中央部２０２、後部２０３には、撮影した映像を映像データに変換する機能部、送信するための送信部（図示せず）が収められている。そして、中央部２０２の下面から映像信号を送信するための信号配線２０５が出ており、信号配線２０５は、後述するアーム部材１１３の中に通されている。
【００２５】
中央部２０２は概ね直方体形状を成しており、下面、上面、両側面は、図１に示すカメラ２００の撮影方向とほぼ平行である。図示していないが、中央部２０２の下面ほぼ中央に、後述する台座１０１を取り付けるためのネジ孔が２つ長手方向に並んで形成されている。
【００２６】
カメラ取付具１００は、いずれもステンレスで形成された、台座１０１、連結部材１０２及び基台１０３で構成される。
台座１０１は、カメラ２００を直接的に支持する部材である。図１に示すように側面から見るとＴ字型形状を成しており、同図に示す回転軸Ａを軸にしてカメラ２００を所定角度傾けた姿勢でボルトねじ１０４を固く締めることでその姿勢状態のまま固定支持することができる。
【００２７】
また、図５に示すように、Ｔ字の横線部分は、略コ字状に折り曲げた二股の股部分であり、カメラ２００の下面と面接触する平面部が形成されている。この平面部には、カメラ２００の下面に形成された２つのネジ孔位置に合わせた位置に、ボルト孔が２つ形成されている。
【００２８】
２本のボルトねじ２０４をこのボルト孔に通し、カメラ２００の下面に形成されているネジ孔に螺合することで、台座１０１は、カメラ２００の下面に対して直交する方向（以下、支持方向という。）にカメラ２００を支持する。
【００２９】
台座１０１のＴ字の縦線（コの字に折り曲げた二股の足部分）の下端には、ボルトねじ１０４を通す孔である台座軸受部１１１が形成されている。
台座軸受部１１１が形成された二股の両足を、後述する連結部材１０２の回動部１０５に形成されている連結軸支部１０８を挟み込み、ボルトねじ１０４を台座軸受部１１１及び連結軸支部１０８に通して螺合することで、台座１０１と連結部材１０２は連結される。
【００３０】
連結部材１０２は、台座１０１と基台１０３とを連結するための長手状の部材であり、一端側で台座１０１と接続し、他端側で基台１０３と接続する。
また、単に連結するだけでなく、後述する回動部１０５によって、図１に示す回転軸Bを軸にして、カメラ２００を所定角度回転させた状態で固定することもできる。
【００３１】
更に、連結部材１０２は、後述する連結軸受部１１０において基台１０３と接続するが、その接続方向を、取付面に対して垂直方向若しくは水平方向のいずれかを選択することができ、壁面にカメラを取り付ける場合、或いは天井にカメラを取り付ける場合それぞれに応じて、取付面とカメラとの距離を調節する役割も果たしている。
【００３２】
連結部材１０２は、図３及び図６に示すように、U字型に折り曲げた二股形状を成している。二股の曲線の股部分には、長孔１１４が形成されている。そして、この股部分の内側には、円柱状の回動部１０５が配置されている。この股部分の曲面は、回動部１０５の円柱の曲面に沿って形成されている。
【００３３】
回動部１０５にはボルトねじ孔が形成されており、このねじ孔にボルトねじ１０６が、長孔１１４を介して螺合されている。ボルトねじ１０６を緩めた状態では、形成されている長孔１１４の長手方向範囲において、回転軸Bを軸にした回転方向にカメラ２００を振ることができる。
その際、このボルトねじ１０６の頭部は、つまみの役割を果たす。また、ボルトねじ１０６を硬く螺合することで、カメラ２００の回転軸B回り方向への動きを固定することができる。
【００３４】
また、回動部１０５には、台座１０１と接続し、且つ図１に示す回転軸Aを軸にして台座１０１の回動を可能とする連結軸支部１０８が円柱状の上面に形成されている。連結軸支部１０８に挿入されているボルトねじ１０４の螺合を緩めることで、図１に示す回転軸Ａの軸回転方向にカメラ２００を傾けることが可能である。
【００３５】
連結軸受部１１０は、ボルトねじ１０７を通すための孔であり、連結部材１０２のU字型に折り曲げた二股形状の足部分に形成されている。つまり、回動部１０５が配置されている連結部材１０２の股部分側を一端とすると、その対極の他端側に位置する。
【００３６】
連結軸受部１１０は、ボルトねじ１０７によって基台１０３のアーム部材１１３先端側部に形成されている基台軸支部（図示せず）と接続される。その際、連結部材１０２の二股足部分を、アーム部材１１３の両側に跨って基台軸支部を挟み、図１に示すように取付面に対して垂直方向に接続する、或いは、図４に示すように取付面に対して水平方向（アーム部材１１３に対して直交する方向）に接続することが可能である。
【００３７】
また、連結部材１０２とアーム部材１１３とが接続された状態では、図３及び図６に示すように、アーム部材１１３と連結部材１０２の回動部１０５が当接するため、仮に、ボルトねじ１０７が緩んでいたとしても、互いの部材が規制し合ってその接続状態を維持するので、ボルトねじ１０７の緩みによって、カメラ２００が、だらんと垂れ下がったりするのを防止することができる。
【００３８】
基台１０３は、上述のアーム部材１１３と取付部１０９とで構成されている。
アーム部材１１３は、図１乃至図６に示すように長手状の直方体であり、中は空洞である。これは、カメラ２００の信号配線２０５をむき出しにすることなく、このアーム部材１１３の中を通すことを目的としている。また、上述したボルトねじ１０７を受け入れる基台軸支部(図示せず)がアーム部材１１３の先端側部に形成されている。
【００３９】
取付部１０９は、壁面や天井等の取付面と接続する板状部材であり、取付面と接続するためのネジ孔が複数形成されている。そして、その中央には、信号配線２０５を壁面に導くための孔が形成されている。
【００４０】
以上述べた実施例１に係るカメラ取付具１００は、次の効果がある。
壁面に取り付ける場合の状態を表す図１と、天井に取り付ける場合の状態を表す図４を比較してみれば明らかであるが、図1のように壁面に取り付ける形態にした場合は、カメラ２００の後部２０３が出っ張っていても、アーム部材１１３の長さに、その長手方向に接続した連結部材１０２の長さ分が加わるので、予めカメラ２００の筐体に合わせてアーム部材１１３と連結部材１０２の長さを設定しておけば、壁面とカメラ２００が接触しない程度の十分な距離を保持することができる。
【００４１】
一方、図４のように天井面に取り付ける形態にした場合は、カメラ２００の後部２０３の出っ張りを考慮する必要がなくなる。反対に、後部２０３の出っ張りに対応したアーム部材１１３と連結部材１０２の長さが余計になるが、連結部材１０２がアーム部材１１３の長手方向（取付面に垂直な方向）に対して垂直な方向に接続されることで、連結部材１０２の長さ分カットされ、その分カメラ２００を天井面に近付けることができる。
【実施例２】
【００４２】
次に、本発明に係るカメラ取付具の一実施形態である実施例２について図面を用いて説明する。
図７は、カメラ取付具１００Aを用いてカメラ２００を壁面に取り付けた状態を表す側面図であり、図８は、カメラ取付具１００Aを用いてカメラ２００を天井に取り付けた状態を表す図である。
【００４３】
カメラ取付具１００Ａが、実施例１で説明したカメラ取付具１００と異なる点は、連結部材１０２Ａ及びアーム部材１１３Ａそれぞれの長手方向の部材長を伸ばし、且つ、連結部材１０２Ａとアーム部材１１３Ａとをボルトねじで螺合して接続するための孔である連結軸受部１１０Ａ及び基台軸支部１１２Ａに長孔を採用している点である。
【００４４】
この構成により、取付面からカメラまでの距離を微調整することができる上、回転軸Ａ、回転軸Bだけでなく、回転軸Ｃについても微調整ができるので、水平な天井、垂直な壁面だけでなく、屋根のように傾斜した箇所への取り付けにおいてもカメラをより天井面に近づけることができる。
【００４５】
本発明は、上記の各実施例に限定されるものではなく、以下のものも含まれる。
実施例１では、連結部材１０２とアーム部材１１３とを接続するとそれぞれが規制し合い、連結部材１０２は、アーム部材１１３の長手方向若しくはその長手方向に対して垂直な方向のいずれかの方向にのみ接続可能としていたが、連結部材１０２とアーム部材１１３との間に空隙を設けることで、実施例２のように回転軸Cにおいて角度調整できるようにしてもよい。
【００４６】
これにより、例えば、図９に示すように、屋根の傾斜面への取り付けにおいても、回転軸Ｂと回転軸Ｃを調整することで、カメラの撮影画面が傾斜することなく地面に対して水平にすることが可能である。
【００４７】
上記の各実施例では、監視カメラの取付具として説明したが、監視カメラだけでなく、天井や壁面に取り付ける用途のある機器、例えば、スピーカ、照明機器等の取付具に適用することも可能である。
また、取付具の材質は、ステンレスに限定されるわけではなく、例えば、アルミ、鉄、プラスチック等でもよい。
【産業上の利用可能性】
【００４８】
本発明に係るカメラ取付具は、壁面及び天井のどちらにも対応しつつ、天井に取り付ける場合は、カメラを天井に近づけることができるので、監視カメラ等の取付具として有用である。
【符号の説明】
【００４９】
１００、１００Ａ    カメラ取付具
１０１    台座
１０２、１０２Ａ    連結部材
１０３    基台
１０４、１０６、１０７、２０４    ボルトねじ
１０５    回動部
１０８    連結軸支部
１０９    取付部
１１０、１１０Ａ    連結軸受部
１１１    台座軸受部
１１２Ａ  基台軸支部
１１３、１１３Ａ    アーム部材
１１４    長孔
２００    カメラ
２０１    前部
２０２    中央部
２０３    後部
２０５    信号配線
【図１】
2010271357.tif 000003
【図２】
2010271357.tif 000004
【図３】
2010271357.tif 000005
【図４】
2010271357.tif 000006
【図５】
2010271357.tif 000007
【図６】
2010271357.tif 000008
【図７】
2010271357.tif 000009
【図８】
2010271357.tif 000010
【図９】
2010271357.tif 000011
【図１０】
2010271357.tif 000012